【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
炭化水素液体を供給する工程であって、前記炭化水素液体は環境温度及び環境圧力で安定な液体である工程と、
環境温度及び高圧力で天然ガスを前記炭化水素液体と混合して液体混合物を生成する工程であって、前記液体混合物は、前記炭化水素液体に溶解した前記天然ガスを含む液体である工程と、
第１の地点から第２の地点へ海洋タンカーを用いて前記液体混合物を輸送する工程であって、この間、前記液体混合物は、環境温度及び前記高圧力で維持される工程と、
を含む、天然ガスを輸送するプロセス。
【請求項２】
前記炭化水素液体は原油である、請求項１に記載のプロセス。
【請求項３】
前記炭化水素液体は原油の蒸留物である、請求項１に記載のプロセス。
【請求項４】
前記混合工程は、２０体積超の前記天然ガスを１体積の前記炭化水素液体に混合する、請求項１に記載のプロセス。
【請求項５】
前記高圧力は１０００ｐｓｉａを超える、請求項１に記載のプロセス。
【請求項６】
前記混合工程の前に、脱水及び硫化水素除去を含む前記天然ガスを調整する工程を更に含む、請求項１に記載のプロセス。
【請求項７】
前記混合工程は、前記海洋タンカーで行われる、請求項１に記載のプロセス。
【請求項８】
前記混合工程は、バッファー貯蔵タンクで行われ、前記プロセスは、前記バッファー貯蔵タンクから前記海洋タンカーに前記液体混合物を積載する工程を更に含む、請求項１に記載のプロセス。
【請求項９】
前記混合工程は、
大量の前記炭化水素液体を環境温度で混合タンクに積載する工程と、
前記混合タンクの底部地点から前記炭化水素液体を介して高圧で前記天然ガスをろ過し、ガス／炭化水素液体の分離を防止するために前記混合物を循環させる工程と、
を含む、請求項１に記載のプロセス。
【請求項１０】
前記混合タンクは、前記海洋タンカー又はバッファー貯蔵タンクである、請求項９に記載のプロセス。
【請求項１１】
前記混合工程は、
前記天然ガスを環境温度で圧縮して混合タンクに入れる工程と、
高圧で前記炭化水素液体を液滴又はミストの形態で前記混合タンクにポンプで送る工程と、
を含む、請求項１に記載のプロセス。
【請求項１２】
前記混合タンクは、前記海洋タンカー又はバッファー貯蔵タンクである、請求項１１に記載のプロセス。
【請求項１３】
前記混合工程では、所定圧力及び前記環境温度で前記炭化水素液体に溶解した天然ガスの体積減少比は、同一の前記天然ガスに同一の前記所定圧力及び同一の前記環境温度が加えられた時の前記天然ガスの体積減少比よりも小さい、請求項１に記載のプロセス。
【請求項１４】
前記第２の地点で、前記液体混合物の圧力を低下させることによって前記液体混合物からガスを放出する工程を更に含む、請求項１に記載のプロセス。
【請求項１５】
前記放出工程は、脱ガス工程を含み、
前記脱ガス工程は、
パイプ系を介して前記海洋タンカーから前記液体混合物を１つ以上の油−ガスセパレーターに移動させる工程であって、前記セパレーターは、環境温度、及び、前記海洋タンカーの圧力よりも逐次的に低い圧力にあり、前記液体混合物は、前記セパレーターにおいて前記ガスと液体とに分離され、前記液体は環境温度及び環境圧力で炭化水素液体である工程と、
前記セパレーターから前記ガス及び前記液体をパイプで送る工程と、
を含む、請求項１４に記載のプロセス。
【請求項１６】
前記輸送工程の前に、前記タンカーにおいて大量の水を積載する工程を更に含み、
前記放出工程は、
前記タンカーから前記水の一部又はすべてを排出する工程であって、前記ガスが、前記液体混合物から前記水の排水によって形成されたガスのキャップ空間に分離される工程と、
前記ガスが、前記ガスのキャップ空間を連続して満たす間、前記海洋タンカーから前記ガスのみをパイプで送り、最終的に前記海洋タンカーに液体炭化水素を残す工程であって、前記液体は環境温度及び環境圧力で炭化水素液体である工程と、
を含む脱ガス工程、を含む、請求項１４に記載のプロセス。
【請求項１７】
前記放出工程は、脱ガス工程を含み、
前記脱ガス工程は、
前記タンカー貨物倉の底部に水をポンプで送り、前記貨物倉の高圧を維持しながら前記貨物倉から前記液体混合物を移す工程と、
パイプ系を介して前記タンカーから前記液体混合物を１つ以上の油−ガスセパレーターに移動させる工程であって、前記セパレーターは、環境温度、及び、前記海洋タンカーの圧力よりも逐次的に低い圧力にあり、前記液体混合物は、前記セパレーターにおいてガスと液体に分離され、前記液体は環境温度及び環境圧力で炭化水素液体である工程と、
前記セパレーターから前記ガス及び前記液体をパイプで送る工程と、
を含む、請求項１４に記載のプロセス。
【請求項１８】
第１の地点から第２の地点へ海洋タンカーを用いて液体混合物を輸送する工程であって、前記液体混合物は、環境温度及び高圧力で維持されている天然ガスと炭化水素液体との混合物であり、前記炭化水素液体は環境温度及び環境圧力で安定な液体であり、前記液体混合物は前記炭化水素液体に溶解した前記天然ガスを含む液体であり、前記液体混合物を輸送する間、前記液体混合物は、前記環境温度及び前記高圧力で維持される工程と、
前記第２の地点で、前記液体混合物の圧力を低下させることによって前記液体混合物からガスを放出する工程と、
を含む、天然ガスを輸送するプロセス。
【請求項１９】
前記高圧力は１０００ｐｓｉａを超える、請求項１８に記載のプロセス。
【請求項２０】
前記放出工程は、脱ガス工程を含み、
前記脱ガス工程は、
パイプ系を介して前記海洋タンカーから前記液体混合物を１つ以上の油−ガスセパレーターに移動させる工程であって、前記セパレーターは、環境温度、及び、前記海洋タンカーの圧力よりも逐次的に低い圧力にあり、前記液体混合物は、前記セパレーターにおいて前記ガスと液体とに分離され、前記液体は環境温度及び環境圧力で炭化水素液体である工程と、
前記セパレーターから前記ガス及び前記液体をパイプで送る工程と、
を含む、請求項１８に記載のプロセス。
【請求項２１】
前記輸送工程の前に、前記タンカーにおいて大量の水を積載する工程を更に含み、
前記放出工程は、
前記タンカーから前記水の一部又はすべてを排出する工程であって、前記ガスが、前記液体混合物から前記水の排水によって形成されたガスのキャップ空間に分離される工程と、
前記ガスが、前記ガスのキャップ空間を連続して満たす間、前記海洋タンカーから前記ガスのみをパイプで送り、最終的に前記海洋タンカーに液体炭化水素を残す工程であって、前記液体は環境温度及び環境圧力で炭化水素液体である工程と、
を含む脱ガス工程、を含む、請求項１８に記載のプロセス。
【請求項２２】
前記放出工程は、脱ガス工程を含み、
前記脱ガス工程は、
前記タンカー貨物倉の底部に水をポンプで送り、前記貨物倉の高圧を維持しながら前記貨物倉から前記液体混合物を移す工程と、
パイプ系を介して前記タンカーから前記液体混合物を１つ以上の油−ガスセパレーターに移動させる工程であって、前記セパレーターは、環境温度、及び、前記海洋タンカーの圧力よりも逐次的に低い圧力にあり、前記液体混合物は、前記セパレーターにおいてガスと液体に分離され、前記液体は環境温度及び環境圧力で炭化水素液体である工程と、
前記セパレーターから前記ガス及び前記液体をパイプで送る工程と、
を含む、請求項１８に記載のプロセス。
【請求項２３】
前記混合工程では、所定圧力及び前記環境温度で前記炭化水素液体に溶解した天然ガスの体積減少比は、同一の前記天然ガスに同一の前記所定圧力及び同一の前記環境温度が加えられた時の前記天然ガスの体積減少比よりも小さい、請求項１８に記載のプロセス。